(57)【要約】【課題】  遊技球収容箱の積み上げ時に発生するこぼれ球を台車外部にこぼれ落ちないようにし、且収容箱よりこぼれた遊技球を容易に回収できる遊技場用運搬台車を提供する。【解決手段】  積み上げた遊技球収容箱から万一遊技球がこぼれてもそのこぼれ球Ｂが側板８に囲まれた台車の外側にこぼれる事は無く、傾斜板１４を滑落して貫通孔１０から下方のこぼれ球取出箱１１に収容される。且収容されたこぼれ球Ｂもこぼれ球取出箱１１から容易に回収できるので、こぼれ球Ｂの散逸と云う作業時のトラブルの懸念は解消されることになる。【選択図】図５
0003133485.tif 000002
【実用新案登録請求の範囲】
【請求項１】
移動用の車輪を取り付けてなる台車基盤と、
その台車基盤の上方に配置された上部枠と、
それら台車基盤と上部枠との間に固定された複数の支柱と、
遊技球が貯留された遊技球収容箱の載置・除去に伴って、前記複数の支柱に案内され上下に滑動する箱受け台と、
その箱受け台の下面と前記台車基盤の上面との間に、前記複数の支柱に保持案内される形で介装された弾発部材と、
前記台車基盤と上部枠とに跨って取り付けられ、前記複数の支柱を外側から覆う側板と、
を備えることを特徴とする遊技場用運搬台車。
【請求項２】
前記台車基盤には、前記側板で覆われた空間内部において上下方向に貫通する貫通孔が形成されるとともに、
その貫通孔の下方には、前記遊技球収容箱からこぼれて前記貫通孔から落下する遊技球を受止めるためのこぼれ球受止部が設けられている請求項１に記載の遊技場用運搬台車。
【請求項３】
前記こぼれ球受止部は、前記台車基盤の下面に固定された案内レールに沿ってスライドすることにより、その台車基盤の外周縁よりも外側へ引出し可能とされている請求項２に記載の遊技場用運搬台車。
【考案の詳細な説明】
【技術分野】
【０００１】
本考案は、遊技場において遊技球収容箱を運搬するための運搬台車に関する。
【背景技術】
【０００２】
パチンコ遊技機等に使用されている遊技球は量が多くなると通常プラスチック製の収容箱に入れて持ち運ばれるが、その収容箱数が複数になると台車によって運搬する事になる。そしてその遊技球で満杯になった収容箱はかなりの重量物なのでそれらを繰り返し積み降ろしする作業はそれを取り扱う作業者にとって重い負担となっている。
【０００３】
その作業のうち最も作業者の負担になるのは台車に積まれた遊技球で満杯になった収容箱を繰り返ししゃがんで持ち上げる作業であり、又最も嫌われるのはその作業中に遊技球が散逸することである。その作業を軽減する為に様々な装置付の運搬台車が考案されており、例えば下記の特許文献１のように遊技球収容箱を積載したテーブルを手回しハンドル操作を動力源に昇降作動できるようにしたものや、特許文献２のようにてこを利用した足踏み力や、同じく特許文献３のように電動モータを動力源に台車に積載された遊技球収容箱を昇降させて作業者の負担の軽減を図るなど、様々な工夫がなされている。又既に遊技場で使用されている運搬台車には、足踏み式の油圧リフトテーブルを使用しているものなどがある。
【０００４】
【特許文献１】特開２００４−２４２９０号公報
【特許文献２】特開平８―２０７７７８号公報
【特許文献３】特開平９−３２３８９５号公報
【特許文献４】登録実用新案第３１３０６０９号公報
【考案の開示】
【考案が解決しようとする課題】
【０００５】
上記特許文献１，２，３に記載された運搬台車においては、いずれも昇降機構に複雑な機械構造が採用され、その為その運搬台車は大きく重いものになっている。このことは遊技場の面積効率を高める為できるだけ運搬通路を狭くしたい遊技場側にとっては好ましい事ではなく、又複雑な機械構造は直接台車の製造コストを高いものにしている。
【０００６】
そこで本出願人は特許文献４に開示したような運搬台車を考案した。特許文献４の運搬台車では、遊技球収容箱を縦一列に積載収容でき且ばねの原理を利用して取り出し高さが一定になるように構成し、その結果簡素にして作業性の良い運搬台車を得る事ができた。そして縦一列に積載する事によって全体がスリムになって所要スペースが少なく、遊技場用運搬台車としては非常に使い勝手のよいものとなった。ところが、特許文献４を含むこれらの運搬台車では、遊技球で一杯になった収容箱を多段に積み上げる際に発生するこぼれ球が台車から落下する問題点が未だ解消されていない。
【０００７】
本考案の課題は、遊技球収容箱の積み上げ時に発生するこぼれ球を台車外部にこぼれ落ちないようにし、且収容箱よりこぼれた遊技球を容易に回収できる遊技場用運搬台車を提供することにある。
【課題を解決するための手段及び考案の効果】
【０００８】
上記課題を解決するために、本考案の遊技場用運搬台車は、
移動用の車輪を取り付けてなる台車基盤と、
その台車基盤の上方に配置された上部枠と、
それら台車基盤と上部枠との間に固定された複数の支柱と、
遊技球が貯留された遊技球収容箱の載置・除去に伴って、前記複数の支柱に案内され上下に滑動する箱受け台と、
その箱受け台の下面と前記台車基盤の上面との間に、前記複数の支柱に保持案内される形で介装された弾発部材と、
前記台車基盤と上部枠とに跨って取り付けられ、前記複数の支柱を外側から覆う側板と、
を備えることを特徴とする。
【０００９】
このように、遊技場用運搬台車の支柱を外側から覆う側板を設けることによって、遊技球収容箱の積み上げ時に発生するこぼれ球が台車外部にこぼれ落ちなくなり、こぼれ球の回収も容易になる。しかもこのとき、箱取り出し高さが一定の為遊技球収容箱の取り出し作業が楽であり、縦一列多段積載の為全体がスリムとなって所要スペースが少なくてすむので、取り出し作業時の作業性が良い。
【００１０】
台車基盤には、側板で覆われた空間内部において上下方向に貫通する貫通孔を形成するとともに、その貫通孔の下方には、遊技球収容箱からこぼれて貫通孔から落下する遊技球を受止めるためのこぼれ球受止部を設けることができる。これによって、遊技球収容箱の縦一列多段積載を阻害せずに、こぼれ球を台車基盤の下方でこぼれ球受止部に集めることができる。
【００１１】
更にこぼれ球受止部は、台車基盤の下面に固定された案内レールに沿ってスライドすることにより、その台車基盤の外周縁よりも外側へ引出し可能となる。この場合にはこぼれ球の回収が一層容易になる。
【考案を実施するための最良の形態】
【００１２】
具体的には、運搬台車の台車基盤の四隅に４本の支柱と４本の角枠を取り付け、その支柱と角枠は上端部で上部枠により固定しておく。その上部枠と台車基盤の中間にその支柱に昇降の案内をされる形に軸受部を備えた箱受け台を設置し、更にその下側にその支柱で挿入保持される形で４本の圧縮コイルばねを組み付けておく。台車基盤には下面の四隅に車輪を取り付けておく。
【００１３】
そして、４隅の角枠は側板を嵌め込み保持出来るような溝付にし、その角枠と台車基盤及び上部枠とで囲む形で４側面に側板を取り付ける。尚その側板には遊技球収容箱の積み重ね状況が観察できるように透明なものを使用するのが望ましい。又遊技球収容箱が一般に平面視長方形であるので、台車基盤も平面視長方形になるが、その長手方向片側中央付近に上下方向の貫通孔を設け、且台車基盤の上面にこぼれ球がその貫通孔に向かって転がり落ちるように傾斜面を設けておく。
【００１４】
更にその台車基盤に設けた貫通孔の下部には集まって来たこぼれ球を収納でき且手前に引き出す事の出来るこぼれ球受止部を設けておく。
【００１５】
以下にその具体的な形態を実施例を参照にしながら説明する。
【実施例】
【００１６】
図１は本考案に係る遊技場用運搬台車（以下、単に運搬台車ともいう）の一例を示す一部破断側面図であり、同図において台車基盤２の下部には４個の自在車輪３を取り付け、上側には４本の支柱４と４本の角枠１２を取り付け、その４本の支柱と４本の角枠１２はそれぞれ上端部で上部枠７に固定されている。そしてその上部枠７と台車基盤２の中間には、支柱４に昇降動作を案内される形の軸受部１３を取り付けた箱受け台１が昇降滑動出来る形で装着されている。尚箱受け台１の上面には、平面視で略長方形状（図２参照）の凹部１ａが形成され、遊技球収容箱６の球収容部が箱受け台１の凹部１ａに載置される。
【００１７】
その軸受部１３の下には圧縮コイルばね５（弾発部材）が４本の支柱４にそれぞれ挿入保持される形で装着されている。尚その圧縮コイルばね５の強度は図４に示すように、遊技球を一杯に収容した１箱分の遊技球収容箱６の重量Ｗとその積み重ね時高さＨとの関係が４本のばね５の強さでつりあい良く比例するようなバネ常数のものを使用する事とする。その結果遊技球収容箱６を多段に積み上げても最上段の箱の高さ位置は常に略一定に保たれる事になる。
【００１８】
図２は一部をＡ−Ａ断面で示す図１の平面図であるが、同破断面図に示すように４隅の角枠１２の溝部１２ａに保持される形で、支柱４及び箱受け台１の外側全周を囲むように側板８が取り付けてある。そして台車基盤２の左側中央に貫通孔１０を設けて且台車基盤２の上面側にその貫通孔１０にこぼれ球が集まるように傾斜板１４が取り付けてある。
【００１９】
図３（正面図）に示すように、貫通孔１０の下にはその集まって来たこぼれ球を収容し且左側面側に引き出す事が出来るように、台車基盤２の下面に固定された一対の案内レール１５，１５に沿ってスライド可能なこぼれ球取出箱１１（こぼれ球受止部）が設けてある。尚角枠１２と側板８を取り付けた事により運搬台車の剛性があがり台車の耐久性が向上すると云う効果もある。又箱受け台１に遊技球収容箱６を縦一列多段積載した運搬台車を押し引きして運搬するために、上部枠７の上面には左右の長手方向に取っ手９，９がそれぞれ立設されている。
【００２０】
上記のように構成した運搬台車においては、図５に示すように、積み上げた遊技球収容箱６（図３参照）から万一遊技球がこぼれてもそのこぼれ球Ｂが側板８に囲まれた台車の外側にこぼれる事は無く、傾斜板１４を滑落して貫通孔１０から下方のこぼれ球取出箱１１に収容される。且収容されたこぼれ球Ｂもこぼれ球取出箱１１から容易に回収できるので、こぼれ球Ｂの散逸と云う作業時のトラブルの懸念は解消されることになる。
【００２１】
以上の様に構成した運搬台車によれば多数の遊技球収容箱を縦一列のスリムな形で積載でき且取り出し高さが一定である事による作業性の良さを損なう事無く、又運搬時こぼれ球が散逸するという様なトラブルを懸念する必要の無い運搬台車を提供することができる。
【図面の簡単な説明】
【００２２】
【図１】本考案に係る遊技場用運搬台車の一例を示す一部破断側面図。
【図２】一部をＡ−Ａ断面で示す図１の平面図。
【図３】図１の正面図。
【図４】遊技球収容箱を載置したときの動作説明図。
【図５】こぼれ球取出箱の使用形態を示す一部破断斜視説明図。
【符号の説明】
【００２３】
１      箱受け台
１ａ    凹部
２      台車基盤
３      車輪
４      支柱
５      圧縮コイルばね（弾発部材）
６      遊技球収容箱
７      上部枠
８      側板
９      取っ手
１０    貫通孔
１１    こぼれ球取出箱（こぼれ球受止部）
１２    角枠
１２ａ  溝部
１３    軸受部
１４    傾斜板
１５    案内レール
【図１】
0003133485.tif 000003
【図２】
0003133485.tif 000004
【図３】
0003133485.tif 000005
【図４】
0003133485.tif 000006
【図５】
0003133485.tif 000007